(57)【要約】  ガラス製造装置は、第１の筐体を通って延伸する第１の開口部と、第１の筐体内に配置された第２の筐体を通って延伸する第２の開口部と、第２の筐体内に配置されて、溶融材料を収容する槽とを含みうる。第１の開口部および第２の開口部が、第１の筐体の外側から第２の筐体の内側への挿入経路を画定する。更に、ガラス製造装置は、第１の開口部から離間して、第１の筐体を通って延伸する第３の開口部と、第３の開口部内に位置する軸部、および、軸部から延伸して第２の開口部を選択的に封鎖するように向いた突出部を含む封鎖物とを含みうる。更なる実施形態において、ガラス製造装置の開口部を封鎖する方法は、槽の属性を装置で測定する工程と、その装置を開口部から取り除く工程と、開口部を封鎖物で封鎖する工程とを含みうる。
2019516658.tif 000002
【特許請求の範囲】
【請求項１】
ガラス製造装置において、
第１の筐体と、
前記第１の筐体内に配置された第２の筐体と、
前記第２の筐体内に配置されて、溶融材料を収容する槽と、
前記第１の筐体を通って延伸する第１の開口部と、
前記第２の筐体を通って延伸する第２の開口部と、
前記第１の開口部から離間して、前記第１の筐体を通って延伸する第３の開口部と、
前記第３の開口部内に位置する軸部、および、前記軸部から延伸して、前記第２の開口部を選択的に封鎖するように向いた突出部を含む封鎖物と、
を含み、
前記第１の開口部および前記第２の開口部が、前記第１の筐体の外側から前記第２の筐体の内側への挿入経路を画定するものであるガラス製造装置。
【請求項２】
前記封鎖物は、前記軸部の縦軸を中心に回転自在である、請求項１に記載のガラス製造装置。
【請求項３】
前記封鎖物の前記突出部は、前記第１の筐体と前記第２の筐体の間に位置するものである、請求項１または２に記載のガラス製造装置。
【請求項４】
前記封鎖物の前記突出部は、前記第２の開口部を取り囲む経路に沿って、前記第２の筐体の外面に選択的に当接するように向いたものである、請求項１から３のいずれか１項に記載のガラス製造装置。
【請求項５】
前記第２の開口部は、前記第１の筐体の内面から、ある距離で離間したものである、請求項１から４のいずれか１項に記載のガラス製造装置。
【請求項６】
前記第１の筐体の外側に配置された覆い部を、
更に含み、
前記覆い部は、前記第３の開口部を封鎖するように向いたものである、請求項１から５のいずれか１項に記載のガラス製造装置。
【請求項７】
ガラス製造装置の開口部の封鎖方法において、
装置を、第１の筐体の外側から、前記第１の筐体内に配置された第２の筐体の内側への挿入経路に沿って、該第１の筐体の第１の開口部および前記第２の筐体の第２の開口部を通って挿入する工程と、
前記第２の筐体内に配置されて、溶融材料を収容する槽の属性を、前記装置を用いて測定する工程と、
前記装置を、前記第２の開口部から取り除く工程と、
前記第２の開口部を、封鎖物で封鎖する工程と、
を含む方法。
【請求項８】
前記第２の開口部を封鎖する工程は、前記封鎖物を回転する工程を含むものである、請求項７に記載の方法。
【請求項９】
前記第２の開口部を封鎖する工程は、前記封鎖物を、前記第１の筐体の第３の開口部内で移動する工程を含むものである、請求項７または８に記載の方法。
【請求項１０】
前記封鎖物を移動する工程は、該封鎖物を、前記第３の開口部内で回転する工程を含むものである、請求項９に記載の方法。
【発明の詳細な説明】
【関連出願の相互参照】
【０００１】
本願は、米国特許法第１１９条（ｅ）の下、２０１６年５月２４日出願の米国仮特許出願第６２／３４０，６２２号の優先権の利益を主張する。
【技術分野】
【０００２】
本開示は、概して、ガラス製造方法および装置に関し、特に、ガラス製造装置の開口部を封鎖物で封鎖する方法および装置に関する。
【背景技術】
【０００３】
ガラスを、ガラス製造装置を用いて製造することが、知られている。更に、ガラス製造装置の温度を、熱電対で測定することも、知られている。
【発明の概要】
【０００４】
次に、詳細な説明で記載するいくつかの例示的な実施形態の基本的理解のために、本開示の簡略な概要を示す。
【０００５】
いくつかの実施形態において、ガラス製造装置は、第１の筐体と、第１の筐体内に配置された第２の筐体と、第２の筐体内に配置されて、溶融材料を収容する槽とを含みうる。ガラス製造装置は、第１の筐体を通って延伸する第１の開口部と、第２の筐体を通って延伸する第２の開口部も含みうる。第１の開口部および第２の開口部が、第１の筐体の外側から第２の筐体の内側への挿入経路を画定する。ガラス製造装置は、第１の開口部から離間して、第１の筐体を通って延伸する第３の開口部も含みうる。ガラス製造装置は、第３の開口部内に位置する軸部、および、軸部から延伸して、第２の開口部を選択的に封鎖するように向いた突出部を含む封鎖物も更に含みうる。
【０００６】
いくつかの実施形態において、槽は、溝部、および、一対の下方に傾いて槽の根元部で収束する表面を有する成形くさび形部を含みうる。
【０００７】
いくつかの実施形態において、封鎖物は、軸部の縦軸を中心に回転自在でありうる。
【０００８】
いくつかの実施形態において、封鎖物の突出部は、第１の筐体と第２の筐体の間に位置しうる。
【０００９】
いくつかの実施形態において、封鎖物の突出部は、第２の開口部を取り囲む経路に沿って、第２の筐体の外面に選択的に当接するように向いたものでありうる。
【００１０】
いくつかの実施形態において、第２の開口部は、第１の筐体の内面から、ある距離で離間したものでありうる。
【００１１】
いくつかの実施形態において、挿入経路は、第１の開口部から第２の開口部へ延伸する直線状の軸を含むものでありうる。
【００１２】
いくつかの実施形態において、ガラス製造装置は、第１の筐体の外側に配置された覆い部を含み、覆い部は、第３の開口部を封鎖するように向いたものでありうる。
【００１３】
いくつかの実施形態において、ガラス製造装置は、覆い部を第１の筐体に向かう方向に付勢するように向いた、ばねを、含みうる。
【００１４】
いくつかの実施形態において、覆い部は、封鎖物の軸部に係合するものでありうる。
【００１５】
いくつかの実施形態において、封鎖物は、少なくとも部分的には覆い部の対応する回転に基づいて、軸部の縦軸を中心に回転自在でありうる。
【００１６】
いくつかの実施形態において、ガラス製造装置の開口部の封鎖方法は、装置を、第１の筐体の外側から、第１の筐体内に配置された第２の筐体の内側への挿入経路に沿って、第１の筐体の第１の開口部および第２の筐体の第２の開口部を通って挿入する工程を含みうる。この方法は、第２の筐体内に配置されて、溶融材料を収容する槽の属性を、装置を用いて測定する工程と、その装置を、第２の開口部から取り除く工程と、第２の開口部を、封鎖物で封鎖する工程とを含みうる。
【００１７】
いくつかの実施形態において、装置は、熱電対でありうる。
【００１８】
いくつかの実施形態において、属性は、温度でありうる。
【００１９】
いくつかの実施形態において、属性を測定する工程は、溶融材料を、槽に収容せずに行うものでありうる。
【００２０】
いくつかの実施形態において、槽の属性を測定した後に、溶融材料を槽に収容する工程を、含みうる。
【００２１】
いくつかの実施形態において、第２の開口部を封鎖する工程は、溶融材料を、槽に収容せずに行うものでありうる。
【００２２】
いくつかの実施形態において、この方法は、装置を、第１の開口部および第２の開口部から取り除き、次に、第１の開口部を封鎖する工程を、含みうる。
【００２３】
いくつかの実施形態において、第２の開口部を封鎖する工程は、封鎖物を回転する工程を含みうる。
【００２４】
いくつかの実施形態において、封鎖物は、第１の筐体の外側に配置された覆い部を回転することによって、回転されるものでありうる。
【００２５】
いくつかの実施形態において、第２の開口部を封鎖する工程は、封鎖物を、第１の筐体の第３の開口部内で移動する工程を含むものでありうる。
【００２６】
いくつかの実施形態において、封鎖物を移動する工程は、封鎖物を、第３の開口部内で回転する工程を含むものでありうる。
【００２７】
いくつかの実施形態において、第３の開口部を、第１の筐体の外側に配置された覆い部で封鎖する工程を、含みうる。
【００２８】
いくつかの実施形態において、封鎖物は、覆い部を移動することによって、第３の開口部内で移動されるものでありうる。
【００２９】
いくつかの実施形態において、覆い部を、第１の筐体に対して付勢して、第３の開口部を、覆い部で封止する工程を、含みうる。
【００３０】
上記実施形態は例示的なものであり、単独で、または、本開示の範囲を逸脱することなく、本明細書に示した任意の１つ以上の実施形態と組み合わせて、提供しうる。更に、ここまでの概略的記載および次の詳細な記載の両方が、本開示の実施形態を示すものであり、更に、記載、請求したような実施形態の本質および特徴を理解するための概観または枠組みを提供することを意図すると、理解すべきである。添付の図面は、実施形態の更なる理解のために含まれたものであり、本明細書に組み込まれ、その一部を形成する。図面は、本開示の様々な実施形態を示し、明細書の記載と共に、本開示の原理および動作を説明する役割を果たす。
【００３１】
本開示のこれら、および、その他の特徴、実施形態および利点は、添付の図面を参照して読むことで、更に理解されうる。
【図面の簡単な説明】
【００３２】
【図１】本開示の実施形態による例示的なガラス製造装置を概略的に示す図である。
【図２】図１の２−２線に沿って、例示的なガラス製造装置を示す断面図である。
【図３】図２の例示的なガラス製造装置を示す斜め断面図であり、例示的な封鎖物を含んでいる。
【図４】図３の封鎖物を含む例示的なガラス製造装置の実施形態を示す。
【発明を実施するための形態】
【００３３】
ここで、本開示の例示的な実施形態を示した添付の図面を参照して、以下に、方法を、より完全に記載する。全図を通して、同じ、または、同様の部分には、可能な限り、同じ参照番号を用いている。しかしながら、本開示は、多くの異なる形態で実施しうるものであり、本明細書に示した実施形態に限定されると解釈すべきではない。
【００３４】
ガラスシートは、通常、溶融ガラスを、様々なリボン成形処理でガラスリボンを成形しうる成形体に流すことによって、作製され、リボン成形処理は、フロート、スロットドロー、ダウンドロー、フュージョンダウンドロー、アップドロー、プレスロール、または、任意の他の成形処理を含む。これらのうち任意の処理で成形されたガラスリボンを、次に分割して、限定するものではないが、表示装置での利用を含む望ましい利用例のための更なる処理に適した１つ以上のガラスシートを提供する。例えば、１つ以上のガラスシートを、液晶表示装置（ＬＣＤ）、電気泳動表示装置（ＥＰＤ）、有機発光ダイオード表示装置（ＯＬＥＤ）、プラズマ表示パネル（ＰＤＰ）などを含む様々な表示装置での利用例で使用しうる。
【００３５】
図１は、ガラスリボン１０３を処理、製造および成形する例示的なガラス製造装置１０１を、概略的に示している。ガラス製造装置１０１は、ガラス製造工程１００を含むように動作しうるもので、いくつかの実施形態において、本明細書に開示したガラス製造装置１０１の特徴物の任意の１つ以上を含んで、ガラスの製造と処理の少なくとも一方を行う。図示のために、ガラス製造装置１０１を、フュージョンダウンドロー装置として示しているが、更なる実施形態において、アップドロー、フロート、プレスローリング、スロットドローなどを行う他のガラス製造装置も提供しうる。図示したように、ガラス製造装置１０１は、バッチ材料１０７を、貯蔵器１０９から受け付けるように向いた溶融槽１０５を含みうる。バッチ材料１０７を、モータ１１３によって動かされたバッチ送出装置１１１によって、導入しうる。任意の制御部１１５を動作させて、モータ１１３を作動させ、それによって、矢印１１７に示したように、バッチ送出装置１１１が、望ましい量のバッチ材料１０７を、溶融槽１０５に導入しうる。ガラス溶融プローブ１１９を用いて、立て管１２３内の溶融材料１２１の表面の高さを測定して、測定した情報を、通信回線１２５を介して、制御部１１５に伝達しうる。
【００３６】
ガラス製造装置１０１は、溶融槽１０５の下流側に配置されて、第１の接続路１２９によって溶融槽１０５に連結された清澄槽１２７も、含みうる。いくつかの実施形態において、溶融材料１２１を、溶融槽１０５から清澄槽１２７へ、第１の接続路１２９を通って重量送りしうる。例えば、重力は、溶融材料１２１を押し出して、溶融槽１０５から清澄槽１２７へ、第１の接続路１２９の内部通路を通って通過させるように作用しうる。清澄槽１２７内で、様々な技術によって、溶融材料１２１から気泡を除去しうる。
【００３７】
ガラス製造装置１０１は、清澄槽１２７の下流側に配置されうる混合室１３１を、更に含みうる。いくつかの実施形態において、混合室１３１は、混合ブレード１５１を有する混合軸部１５０を含んで、混合室１３１内の溶融材料１２１を混合しうる。混合室１３１を用いて、均一な組成の溶融材料１２１を提供し、それにより、そうでない場合には、清澄槽１２７を出る溶融材料１２１に存在する不均一性を削減するか、排除しうる。図示したように、清澄槽１２７を、第２の接続路１３５を通って、混合室１３１に連結しうる。いくつかの実施形態において、溶融材料１２１を、清澄槽１２７から混合室１３１へ、第２の接続路１３５を通って重量送りしうる。例えば、重力は、溶融材料１２１を押し出して、清澄槽１２７から混合室１３１へ、第２の接続路１３５の内部通路を通って通過させうる。
【００３８】
ガラス製造装置１０１は、混合室１３１の下流側に配置されうる送出槽１３３を、更に含みうる。送出槽１３３は、ガラス成形器１４０に供給される溶融材料１２１を調整しうる。例えば、送出槽１３３は、蓄積部および／または流量制御部として機能して、調節を行って、溶融材料１２１の一貫した流れをガラス成形器１４０に提供しうる。図示したように、混合室１３１を、送出槽１３３に、第３の接続路１３７を通って連結しうる。いくつかの実施形態において、溶融材料１２１を、混合室１３１から送出槽１３３へ、第３の接続路１３７を通って重量送りしうる。例えば、重力は、溶融材料１２１を押し出して、混合室１３１から送出槽１３３へ、第３の接続路１３７の内部通路を通って通過させうる。更に示したように、送出管１３９を配置して、溶融材料１２１を、ガラス製造装置１０１のガラス成形器１４０に送出しうる。ガラス成形器１４０は、溶融材料１２１を、成形槽１４３の根元部１４５から引き出して、ガラスリボン１０３にしうる。図示した実施形態において、成形槽１４３に、溶融材料１２１を送出槽１３３の送出管１３９から受け付けるように向いた投入口１４１を、設けうる。
【００３９】
図１および２に示したように、いくつかの実施形態において、成形槽１４３は、溶融材料１２１を、投入口１４１（図１を参照）から受け付けるように向いた溝部２０４（図２を参照）を含みうる。図２に示したように、成形槽１４３は、一対の下方に傾いて収束する表面部分２０７ａ、２０７ｂを有する成形くさび形部２０５を、更に含みうるもので、それらは、くさび形部２０５の対向する端部の間に延伸する。いくつかの実施形態において、溶融材料１２１は、投入口１４１から、成形槽１４３の溝部２０４に流れうる。次に、溶融材料１２１は、溝部２０４から、対応する堰部２０３ａ、２０３ｂを同時に越えて流れることによって溢れて、更に、対応する堰部２０３ａ、２０３ｂの外面を下方に流れうる。次に、溶融材料１２１の各流れは、成形くさび形部２０５の下方に傾いて収束する表面２０７ａ、２０７ｂに沿って流れて、成形槽１４３の根元部から引き出されて、そこで、流れが収束し、ガラスリボン１０３へと融合されうる。次に、ガラスリボン１０３を、ドロー方向２１１のドロー平面２１３に沿って、根元部１４５から引き出し、（図１に示した）幅「Ｗ」のガラスリボン１０３が、ガラスリボン１０３の第１の垂直縁部１４７ａとガラスリボン１０３の垂直縁部１４７ｂの間に延伸するようにしうる。
【００４０】
図２に戻り、いくつかの実施形態において、ガラスリボン１０３の第１の主表面２１５ａと第２の主表面２１５ｂの間で画定されるガラスリボン１０３の厚さ「Ｔ」は、例えば、約４０マイクロメートル（μｍ）から約１ミリメートル（ｍｍ）まで、例えば、約４０マイクロメートルから約０．５ミリメートルまで、例えば、約４０マイクロメートルから約４００マイクロメートルまで、例えば、約４０マイクロメートルから約３００マイクロメートルまで、例えば、約４０マイクロメートルから約２００マイクロメートルまで、例えば、約４０マイクロメートルから約１００マイクロメートルまで、または、例えば、約４０マイクロメートルでありうるもので、更なる実施形態においては、他の厚さが提供されうる。更に、ガラスリボン１０３は、限定するものではないが、ガラス、セラミック、ガラス‐セラミック、ソーダライムガラス、ホウケイ酸ガラス、アルミノホウケイ酸ガラス、含アルカリガラス、無アルカリガラス、または、それらの組合せを含む、様々な組成物を含みうる。
【００４１】
更に、図２〜４に示したように、いくつかの実施形態において、ガラス製造装置１０１は、第１の筐体１７１および第２の筐体１７２を含み、第２の筐体１７２は、第１の筐体１７１内に配置されうる。いくつかの実施形態において、材料（例えば、溶融材料１２１）を収容するための槽１６０を、第２の筐体１７２内に配置しうる。槽１６０は、材料を収容する容器を含み、いくつかの実施形態においては、槽１６０内に収容された材料の自由表面にアクセスできるように開いた容器を含みうる。例えば、いくつかの実施形態において、槽１６０は、溝部２０４および成形くさび形部２０５を有する成形槽１４３を含み、成形くさび形部２０５は、成形くさび形部２０５の根元部１４５で収束する、一対の下方に傾いて収束する表面部分２０７ａ、２０７ｂを含みうる。いくつかの実施形態において、本開示の範囲を逸脱することなく、任意の１つ以上の槽を、第２の筐体１７２内に配置しうる。例えば、第２の筐体１７２に配置された槽１６０は、ガラス製造装置１０１の任意の１つ以上の特徴物を含みうるもので、限定するものではないが、溶融槽１０５、貯蔵器１０９、立て管１２３、清澄槽１２７、第１の接続路１２９、混合室１３１、送出槽１３３、第２の接続路１３５、第３の接続路１３７、および、送出管１３９を含みうる。
【００４２】
第１の筐体１７１は、第１の筐体１７１の外部である外部領域２０２に向いた第１の外面１７５を含みうる。いくつかの実施形態において、外部領域２０２は、第１の筐体１７１が配置される環境または部屋を含みうる。第１の筐体１７１は、第１の筐体１７１の第１の外面１７５と第１の筐体１７１の第１の内面１７３の間に延伸する第１の筐体壁部１７７を含みうる。いくつかの実施形態において、第２の筐体１７２は、第１の距離「ｄ１」で、第１の筐体１７１の第１の内面１７３から離間して、第１の筐体１７１と第２の筐体１７２の間の中間空間２０１を画定する第２の外面１７６を含みうる。第２の筐体１７２は、第２の筐体１７２の第２の外面１７６と第２の筐体１７２の第２の内面１７４の間に延伸する第２の筐体壁部１７８を含みうる。第２の内面１７４は、第２の筐体１７２の内部である内部領域２００に向いたものでありうる。
【００４３】
図示したように、槽１６０を、（例えば、少なくとも部分的に、または、完全に）第２の筐体１７２の内部領域２００に配置して、第２の距離「ｄ２」で、第２の筐体１７２の第２の内面１７４から離間させうる。いくつかの実施形態において、第１の筐体１７１および第２の筐体１７２の各々は、１つ以上の壁部同士を接続して、各筐体を形成しうる。いくつかの実施形態において、他の筐体内に配置されると定義された筐体は、その筐体の境界の外に延伸する特徴物を含みうるもので、そのような実施形態も、そうでないと記載しない限りは、本開示の範囲であることを意図すると理解すべきである。更に、いくつかの実施形態において、第１の筐体１７１および第２の筐体１７２は解放部を含み、筐体への、または、筐体からの大量な物の出入りを提供しうる。例えば、いくつかの実施形態において、第１の筐体１７１は、第１の底部解放部１６１を含み、第２の筐体１７２は、ガラスリボン１０３が第２の筐体１７２に配置された槽１６０から提供されるにつれて、ガラスリボン１０３が、そこから延伸する第２の底部解放部１６２を含みうる。
【００４４】
いくつかの実施形態において、第１の筐体１７１は、外部領域２０２と第１の筐体１７１の内部の間で遮断障壁を提供しうる耐火材料（例えば、耐火煉瓦）を含みうる。したがって、第１の筐体１７１は、埃、破片、および、外部領域２０２に存在しうる他の汚染物質が、第２の筐体１７２、および、槽１６０に収容されうる任意の材料を含む槽１６０に接触するのを防ぎうる。更に、第１の筐体１７１および第２の筐体１７２によって提供された中間空間２０１および内部領域２００は、温度と圧力の少なくとも一方が、規制、変化および維持されたものである、制御された雰囲気を提供しうる。第１の筐体１７１は、第１の筐体１７１に取り付けられて、第１の筐体１７１を枠、壁または他の支持構造物（不図示）に接続する１つ以上のブラケットで、外部領域２０２に配置されうる。
【００４５】
いくつかの実施形態において、第２の筐体１７２は、熱を槽１６０に対して均一に分布させる物性を有する材料から製造しうる。例えば、いくつかの実施形態において、第２の筐体１７２は、炭化ケイ素を含み、槽１６０の上方で、均一な温度プロファイルに分布させ、それを維持しうる。第２の筐体１７２の内部領域２００での温度変動および温度勾配を制御および削減することによって、槽１６０に収容された材料の温度を、同様に制御しうる。例えば、いくつかの実施形態において、第２の筐体１７２は、槽１６０の周りに、均一に加熱された領域を提供し、槽１６０内の溶融材料１２１に、均一な温度を提供しうる。いくつかの実施形態において、溶融材料１２１の温度を均一に制御することで、槽１６０に収容された時に温度勾配を有する溶融材料１２１を用いて成形したガラスリボンと比べて、高品質のガラスリボン１０３を提供しうる。第２の筐体１７２は、第２の筐体１７２に取り付けられて、第２の筐体１７２を、第１の筐体１７１、枠、壁または他の支持構造物（不図示）に接続する１つ以上のブラケットで、第１の筐体１７１内に配置しうる。
【００４６】
第１の筐体１７１と第２の筐体１７２の間の第１の距離「ｄ１」は、互いに離間した関係の第１の筐体１７１および第２の筐体１７２を提供しうる。第１の筐体１７１と第２の筐体１７２の間の離間した関係は、第１の筐体１７１と第２の筐体１７２の少なくとも一方の熱膨張および収縮を可能にし、第１の筐体１７１と第２の筐体１７２の少なくとも一方が、熱、および、それに応じた温度変化に曝されて、例えば、少なくとも部分的には熱膨張率に応じて膨張および収縮する時に、第１の筐体１７１と第２の筐体１７２が、干渉も接触もしないようにしうる。同様に、第２の筐体１７２と槽１６０の間の第２の距離「ｄ２」は、互いに離間した関係の第２の筐体１７２および槽１６０を提供しうる。第２の筐体１７２と槽１６０の間の離間した関係は、第２の筐体１７２と槽１６０の少なくとも一方の互いに独立した熱膨張および収縮を可能にし、第２の筐体１７２と槽１６０の少なくとも一方が、熱、および、それに応じた温度変化に曝されて、例えば、少なくとも部分的には熱膨張率に応じて膨張および収縮する時に、第２の筐体１７２と槽１６０が、接触もしないようにしうる。第１の筐体１７１、第２の筐体１７２、および、槽１６０の熱のミスマッチを補うだけではなく、第１の筐体１７１と第２の筐体１７２の間での離間した関係、および、第２の筐体１７２と槽１６０の間での離間した関係は、構成要素同士で機械的荷重が加わるのを防ぎうる。例えば、いくつかの実施形態において、第１の筐体１７１と第２の筐体１７２の少なくとも一方は、外からの荷重に曝された時に、亀裂、破断を生じ、外からの荷重を支えられない脆い材料を含みうる。いくつかの実施形態において、脆い材料は、少なくとも部分的には、応力に曝された時に、変形する（例えば、歪みを生じる）ことなく破損（例えば、破断、切断）する材料として、定義しうる。いくつかの実施形態において、脆い材料は、比較的低い延性を有するか、または、全く有さない材料として、および、破損前に、比較的低いエネルギーを吸収するか、または、全く吸収しない材料として、定義しうる。
【００４７】
いくつかの実施形態において、第１の開口部１９１は、第１の筐体１７１を通って延伸し、第２の開口部１９２は、第２の筐体１７２を通って延伸しうる。例えば、第１の開口部１９１は、第１の筐体１７１の第１の外面１７５から第１の筐体１７１の第１の内面１７３へ、第１の筐体壁部１７７を通って延伸しうる。同様に、第２の開口部１９２は、第２の筐体１７２の第２の外面１７６から第２の筐体１７２の第２の内面１７４へ、第２の筐体壁部１７８を通って延伸しうる。いくつかの実施形態において、第２の開口部１９２は、何らかの距離（例えば、第１の距離「ｄ１」）で、第１の筐体１７１の第１の内面１７３から離間しうる。いくつかの実施形態において、第１の開口部１９１および第２の開口部１９２は、第１の筐体１７１の外部（例えば、外部領域２０２）から第２の筐体１７２の内部（例えば、内部領域２００）への挿入経路１８０を画定しうる。いくつかの実施形態において、挿入経路１８０は、第１の開口部１９１から第２の開口部１９２へ延伸する直線状の軸を含みうる。いくつかの実施形態において、挿入経路１８０は、第１の開口部１９１と第２の開口部１９２の間で外部領域２０２から内部領域２００へ延伸する、非直線状である曲線経路、および、任意の他の経路を含みうる。
【００４８】
いくつかの実施形態において、挿入経路１８０を、装置３５０を挿入するために設けられうる。例えば、図３に示すように、いくつかの実施形態において、熱電対３５０を、外部領域２０２から内部領域２００への挿入経路１８０に沿って挿入しうる。いくつかの実施形態において、センサ、カメラ、測定具、プローブ、検出器、および、任意の他の装置の任意の１つ以上を、外部領域２０２から内部領域２００へ挿入経路１８０に沿って挿入するために提供しうる。いくつかの実施形態において、槽１６０へのアクセス（例えば、成形槽１４３の溝部２０４へのアクセス）は、少なくとも部分的には、第１の筐体１７１、および、その中に槽１６０が配置されうる第２の筐体１７２の任意の１つ以上が存在するかによって、制限されるか、または、難しいことがありうる。したがって、有利なことに、挿入経路１８０は、外部領域２０２から、第１の筐体１７１を通って、中間空間２０１へ、更に、第２の筐体１７２を通って、第２の筐体１７２内に配置された槽１６０を含む内部領域２００へのアクセスを可能にしうる。
【００４９】
いくつかの実施形態において、第１の筐体１７１の外側の外部領域２０２内の内容物（例えば、流体、液体、気体、蒸気、微粒子、破片、熱、凝縮物など）は、外部領域２０２から中間空間２０１へ、第１の筐体１７１の第１の開口部１９１を通って通過しうる。いくつかの実施形態において、内容物は、中間空間２０１から内部領域２００へ、第２の筐体１７２の第２の開口部１９２を通って通過しうる。同様に、いくつかの実施形態において、第２の筐体１７２の内側の内部領域２００内の内容物は、内部領域２００から中間空間２０１へ、第２の筐体１７２の第２の開口部１９２を通って通過しうる。いくつかの実施形態において、内容物は、中間空間２０１から外部領域２０２へ、第１の筐体１７１の第１の開口部１９１を通って通過しうる。いくつかの実施形態において、内容物が、外部領域２０２から中間空間２０１へ第１の開口部１９１を通って通過するのと、中間空間２０１から内部領域２００へ第２の開口部１９２を通って通過するのを防ぐのが望ましいことがありうる。例えば、いくつかの実施形態において、中間空間２０１、および、槽１６０内の材料を含む内部領域２００が、外部領域２０２からの内容物で汚染されるのを防ぐのが望ましいことがありうる。同様に、いくつかの実施形態において、内容物が、内部領域２００から中間空間２０１へ第２の開口部１９２を通って通過するのと、中間空間２０１から外部領域２０２へ第１の開口部１９１を通って通過するのを防ぐのが望ましいことがありうる。例えば、いくつかの実施形態において、中間空間２０１および外部領域２０２が、内部領域２００からの内容物で汚染されるのを防ぐのが望ましいことがありうる。
【００５０】
例えば、いくつかの実施形態において、溶融材料１２１が槽１６０に収容されている場合、ガラス製造工程１００中に、蒸気（例えば、ホウ素蒸気）が、内部領域２００で生成されうる。蒸気は、内部領域２００から、第２の開口部１９２を通って、中間空間２０１へ通過し、そこで、蒸気は、いくつかの実施形態において、第１の筐体１７１の第１の内面１７３上で凝縮しうる。凝縮する蒸気は、第１の筐体１７１の第１の内面１７３、および、いくつかの実施形態においては、第２の筐体１７２の第２の外面１７６の構造的完全性および材料の特徴を損なわせるか、または、弱めうる凝縮物を形成しうる。いくつかの実施形態において、第１の筐体１７１の第１の内面１７３は、多孔性で脆いことがありうる耐火煉瓦を含みうるので、第１の筐体１７１の第１の内面１７３上の蒸気凝縮物により、構造的劣化を起こし易い。いくつかの実施形態において、第１の筐体１７１の第１の内面１７３の構造的劣化は、第１の筐体１７１の第１の内面１７３、第１の筐体壁部１７７、および、第１の外面１７５の任意の１つ以上を、変形、破断、砕け、および、破損させうる。同様に、いくつかの実施形態において、第２の筐体１７２の第２の外面１７６の構造的劣化は、第２の筐体１７２の第２の外面１７６、第２の筐体壁部１７８、および、第２の内面１７４の任意の１つ以上を、変形、および、破断させうる。いくつかの実施形態において、第１の筐体１７１の第１の内面１７３、第１の筐体壁部１７７、および、第１の外面１７５の任意の１つ以上の変形、破断、砕け、および、破損は、第２の筐体１７２の構造的完全性に影響を与えうる。例えば、いくつかの実施形態において、第１の筐体１７１の破片が第２の筐体１７２上に落下して、第２の筐体１７２の第２の外面１７６、第２の筐体壁部１７８、および、第２の内面１７４の任意の１つ以上を、変形および破断させうる。
【００５１】
いくつかの実施形態において、第１の筐体１７１の構造的劣化により、第１の筐体１７１は、第１の筐体１７１が提供しうる他の特性のうち、遮断性を提供しなくなりうる。更に、いくつかの実施形態において、第１の筐体１７１の構造的劣化は、第１の筐体１７１の破片を第１の筐体１７１から分離させて、中間空間２０１から第２の筐体１７２の内部領域２００へ、第２の筐体１７２の第２の開口部１９２を通って通過させ、例えば、槽１６０に収容された材料を、汚染しうる。槽１６０に収容された材料の汚染は、いくつかの実施形態において、溶融材料１２１から製造されたガラスの品質を低下させうる。したがって、いくつかの実施形態において、内容物が、第２の筐体１７２の内部領域２００のから中間空間２０１へ、第２の筐体１７２の第２の開口部１９２を通って通過することで、ガラス製造装置１０１でのガラス製造工程１００で、問題を生じうる。そのような問題は、構成要素の修理および交換を含み、結果的に、ガラス製造装置１０１の運転休止、および、ガラス製造工程１００の遅れを生じうる。
【００５２】
ここで、第２の開口部１９２を封鎖する方法および装置を記載する。有利なことに、いくつかの実施形態において、第２の開口部１９２を封鎖することで、内容物が、第２の筐体１７２の内部領域２００と第２の筐体１７２の外側の中間空間２０１の間、および、第２の筐体１７２の外側の中間空間２０１と第２の筐体１７２の内部領域２００の間の少なくとも一方の間で、第２の筐体１７２の第２の開口部１９２を通って通過するのを防ぎうる。いくつかの実施形態において、第２の開口部１９２を封鎖することで、例えば、溶融材料１２１が槽１６０に収容されている場合に、ガラス製造工程１００中に、内部領域２００で生成された蒸気が、内部領域２００から中間空間２０１へ、第２の筐体１７２の第２の開口部１９２を通って通過するのを防ぎうる。このようにして、第２の開口部１９２を封鎖することで、蒸気が、第１の筐体１７１の第１の内面１７３と接触するのを防ぎ、したがって、それに対応して、凝縮物が、第１の筐体１７１の第１の内面１７３上で凝縮するのを防ぎうる。したがって、第２の開口部１９２を封鎖することで、そうでない場合には、蒸気が凝縮して、第１の筐体１７１の第１の内面１７３上に凝縮物を形成する時に、第１の筐体１７１の第１の内面１７３の特性を損なうか、弱めることを、減らして防ぎうる。更に、第２の開口部１９２を封鎖することで、内容物が、中間空間２０１から内部領域２００へ、第２の開口部１９２を通って通過するのを防ぎ、例えば、槽１６０内の材料が汚染されるのを防ぎうる。
【００５３】
図３および４に示すように、いくつかの実施形態において、ガラス製造装置１０１は、封鎖物３００を含みうる。いくつかの実施形態において、封鎖物３００は、軸部３０１、および、軸部３０１から延伸する突出部３０２を含みうる。封鎖物３００を備えて、第２の開口部１９２を選択的に封鎖しうる。例えば、いくつかの実施形態において、封鎖物３００の突出部３０２は、第２の開口部１９２を選択的に封鎖するように向けられうる。いくつかの実施形態において、封鎖物３００を、軸部３０１の縦軸３８０を中心に回転しうる。いくつかの実施形態において、封鎖物３００の突出部３０２を、第１の筐体１７１と第２の筐体１７２の間に（例えば、中間空間２０１内に）配置しうる。いくつかの実施形態において、封鎖物３００の突出部３０２は、第２の開口部１９２を取り囲む経路に沿って、第２の筐体１７２の第２の外面１７６に選択的に当接するように向けうる。第２の開口部１９２を取り囲む経路に沿って、第２の筐体１７２の第２の外面１７６に選択的に当接することによって、封鎖物３００の突出部３０２は、第２の開口部１９２の周りに封止部を提供して、第２の開口部１９２を封鎖しうる。
【００５４】
いくつかの実施形態において、封鎖物３００を、第２の開口部１９２に挿入して、第２の開口部１９２を封鎖しうる。いくつかの実施形態において、封鎖物３００を、第２の開口部１９２に挿入することによって、第２の開口部１９２を封鎖することで、第２の開口部１９２に気密封止部を提供しうる。いくつかの実施形態において、第２の開口部１９２の第１の解放部を塞いで（例えば、第２の筐体１７２の第２の外面１７６に当接して）第２の開口部１９２を封鎖することと、第２の開口部１９２の第２の解放部に当接して（例えば、第２の筐体１７２の第２の内面１７４に当接して）第２の開口部１９２を封鎖することの少なくとも一方によって、第２の開口部１９２を封鎖するように、封鎖物３００を配置しうる。いくつかの実施形態において、第２の開口部１９２を封鎖物３００で塞ぐことによって、第２の開口部１９２を封鎖することで、第２の開口部１９２の周りに気密封止部を提供しうる。更に、いくつかの実施形態において、（例えば、封鎖物３００を第２の開口部１９２に挿入するのとは異なり）第２の開口部１９２を封鎖物３００で塞ぐことによって、第２の開口部１９２を封鎖することにより、封鎖物３００と第２の筐体１７２の少なくとも一方の熱のミスマッチ（例えば、膨張、収縮）により生じる構造的変化に比較的影響されない気密封止部を、第２の開口部１９２の周りに提供しうる。更に、いくつかの実施形態において、封鎖物３００および第２の筐体１７２を、同じ、または、同様の材料（例えば、炭化ケイ素）から製造して、封鎖物３００および第２の筐体１７２が温度変化に曝された場合に、封鎖物３００と第２の筐体１７２の少なくとも一方の熱のミスマッチ（例えば、膨張、収縮）の影響を減らしうる。
【００５５】
いくつかの実施形態において、（例えば、封鎖物３００を第２の開口部１９２に挿入するのと異なるか、または、第２の筐体１７２の第２の内面１７４を封鎖物３００と当接させるのとは異なり）封鎖物３００の突出部３０２を第２の筐体１７２の第２の外面１７６に当接するように配置することによって、第２の開口部１９２を封鎖物３００で塞ぐことで、封鎖物３００の破片を含む封鎖物が破損し、欠けて、分離した場合に、封鎖物３００（例えば、封鎖物３００の破片）が、第２の筐体１７２の内部領域２００に落下するのを減らすか、いくつかの実施形態においては、防ぎうる。したがって、いくつかの実施形態において、封鎖物３００の突出部３０２を第２の筐体１７２の第２の外面１７６に当接するように配置して、第２の開口部１９２を塞ぐことによって、第２の筐体１７２の内部領域２００（例えば、槽１６０に収容された溶融材料１２１）が汚染される危険を防ぐのが望ましいことがありうる。
【００５６】
したがって、そうでないと記載しない限りは、封鎖物３００を、第２の開口部１９２を封鎖する（例えば、部分的に封鎖するか、または、全体を封鎖する）ように配置する実施形態は、封鎖物３００を第２の開口部１９２に挿入（例えば、部分的に挿入か、または、全体を挿入）するか、若しくは、第２の開口部１９２を塞ぐ（例えば、部分的に塞ぐか、または、全体を塞ぐ）ように配置するかに関わらず、本開示の範囲とみなされるものである。
【００５７】
いくつかの実施形態において、ガラス製造装置１０１の開口部の封鎖方法は、装置３５０を、第１の筐体１７１の外側の外部領域２０２から第２の筐体１７２の内部領域２００への挿入経路１８０に沿って、第１の筐体１７１の第１の開口部１９１、および、第２の筐体１７２の第２の開口部１９２を通して挿入する工程を含みうる。説明のためであって、限定するものではないが、以下の記載は、装置３５０が温度を測定する熱電対である場合について説明する。しかしながら、いくつかの実施形態において、装置３５０は、限定するものではないが、属性（例えば、特徴、品質、値、画像、動画、組成など）を測定するセンサ、カメラ、測定具、プローブ、検出器などの任意の１つ以上を含む任意の他の装置でありうると理解すべきである。
【００５８】
したがって、いくつかの実施形態において、方法は、溶融材料１２１を収容するために、槽１６０の温度を熱電対３５０で測定する工程を含みうる。いくつかの実施形態において、温度を測定する工程は、溶融材料１２１を槽１６０に収容せずに行いうる。例えば、いくつかの実施形態において、溶融材料を槽１６０に収容する前にガラス製造装置１０１を予熱する動作中に、槽１６０の温度を測定するのが、望ましいことがありうる。いくつかの実施形態において、第２の筐体１７２の内側の内部領域２００の温度は、槽１６０の温度に対応しうる。いくつかの実施形態において、熱電対３５０は、温度を、瞬間的に、定期的に、および、継続的にの少なくとも１つで測定して、例えば、槽１６０が、より低温から、より高温に加熱される時の温度を監視しうる。いくつかの実施形態において、熱電対３５０は、成形槽１４３の根元部１４５の温度と比較しうる成形槽１４３の溝部２０４の温度を測定して、成形槽１４３の溝部２０４と根元部１４５の温度差を特定しうる。いくつかの実施形態において、成形槽１４３の溝部２０４と根元部１４５の温度差を、例えば、予熱中に監視して、ガラス製造装置１０１の槽１６０、第１の筐体１７１、第２の筐体１７２、および、他の構成要素の任意の１つ以上が、所定の温度を実現する時を特定しうる。
【００５９】
いくつかの実施形態において、例えば、ガラス製造装置１０１の予熱中に、ガラス製造装置１０１の槽１６０、第１の筐体１７１、第２の筐体１７２、および、他の構成要素の任意の１つ以上が、所定の温度を実現したと特定した場合には、次に、熱電対３５０を、第２の筐体１７２から取り除きうる。この方法は、熱電対３５０を第２の開口部１９２から取り除く工程、および、熱電対３５０を第２の開口部１９２から取り除いた後に、次に、第２の開口部１９を、封鎖物３００で封鎖する工程も含みうる。いくつかの実施形態において、この方法は、槽１６０の温度を測定した後に、溶融材料１２１を槽１６０に収容する工程を含みうる。いくつかの実施形態において、第２の開口部１９２の封鎖を、槽１６０に溶融材料１２１を収容せずに行いうる。いくつかの実施形態において、この方法は、熱電対３５０を第１の開口部１９１および第２の開口部１９２から取り除いて、次に、第１の開口部１９１を（図４に示したような）栓３２１で封鎖する工程を含みうる。いくつかの実施形態において、栓３２１を、第１の開口部１９１を封鎖して、内容物が第１の筐体１７１の外側の外部領域２０２から中間領域２０１に第１の開口部１９１を通って通過するのを防ぐように、配置しうる。例えば、いくつかの実施形態において、第１の開口部１９１を、ガラス製造装置１０１がガラスリボン１０３を製造するように動作するガラス製造工程１００中に封鎖して、内容物が第１の開口部１９１を通過するのを防ぎうる。
【００６０】
いくつかの実施形態において、第２の開口部１９２を封鎖する工程は、封鎖物３００を移動して、第２の開口部１９２を封鎖する工程を含みうる。例えば、いくつかの実施形態において、封鎖物３００を移動する工程は、封鎖物３００を、封鎖物３００が第２の開口部１９２を封鎖しない（例えば、図３に示した）不封鎖位置３４０から、封鎖物３００が第２の開口部１９２を封鎖する（例えば、図４に示した）封鎖位置３４５に移動する工程を含みうる。いくつかの実施形態において、封鎖物３００を、不封鎖位置３４０と封鎖位置３４５の間で、任意の回数、選択的に移動して、第２の開口部１９２を封鎖すること、および、封鎖を解くことを選択的に行いうる。いくつかの実施形態において、封鎖物３００を移動する工程は、封鎖物３００の平行移動、回転、および、反転の任意の１つ以上を含み、それらは、限定するものではないが、封鎖物３００を摺動させること、押すこと、引っ張ること、引き上げること、裏返すこと、回転させること、ターンさせること、および、任意の他の移動を含みうる。
【００６１】
いくつかの実施形態において、ガラス製造装置１０１は、第１の開口部１９１から離間して、第１の筐体１７１を通って延伸する第３の開口部１９３を含みうる。例えば、第３の開口部１９３は、第１の筐体１７１の第１の外面１７５から第１の筐体１７１の第１の内面１７３へ、第１の筐体壁部１７７を通って延伸しうる。第１の開口部１９１、第２の開口部１９２、および、第３の開口部１９３の任意の１つ以上は、限定するものではないが、円形、楕円形、正方形、矩形、三角形、および、任意の他の幾何学形状、角柱状、または、多角形を含む任意の形状を有する断面輪郭を含みうると理解すべきである。いくつかの実施形態において、第１の開口部１９１、第２の開口部１９２、および、第３の開口部１９３の任意の１つ以上の断面は、一定寸法の断面輪郭、または、可変断面輪郭を含みうる。いくつかの実施形態において、第１の開口部１９１、第２の開口部１９２、および、第３の開口部１９３の任意の１つ以上は、第１の外面１７５、第１の内面１７３、第２の外面１７６、および、第２の内面１７４の任意の１つ以上に垂直に延伸しうる。いくつかの実施形態において、第１の開口部１９１、第２の開口部１９２、および、第３の開口部１９３の任意の１つ以上は、第１の外面１７５、第１の内面１７３、第２の外面１７６、および、第２の内面１７４の少なくとも１つに対し任意の角度で延伸しうる。いくつかの実施形態において、第１の開口部１９１、第２の開口部１９２、および、第３の開口部１９３の任意の１つ以上は、第１の開口部１９１、第２の開口部１９２、および、第３の開口部１９３のうち、任意の他のものと同じか、同様か、または、異なる形状、大きさ、向き、断面輪郭などを有しうる。
【００６２】
いくつかの実施形態において、封鎖物３００の軸部３０１を、第３の開口部１９３内に配置しうる。例えば、軸部３０１は、中間空間２０１から、第１の筐体１７１の第１の内面１７３へ、更に、第３の開口部１９３へと延伸しうる。いくつかの実施形態において、軸部３０１は、中間空間２０１から、第３の開口部１９３を通って、第１の筐体１７１の第１の外面１７５を過ぎて、更に、外部領域２０２へと延伸しうる。したがって、第３の開口部１９３は、オペレータ（例えば、人間のオペレータ、機械的または機械化されたオペレータ、コンピュータ制御されたオペレータなど）に、封鎖物３００を移動して、第２の開口部１９２を、第１の筐体１７１の外側から封鎖するためのアクセスを提供しうる。有利なことに、例えば、オペレータを、第１の筐体１７１の外側の外部領域２０２に配置して、したがって、第１の筐体１７１と第２の筐体１７２の少なくとも一方で行われているガラス製造工程１００と干渉することも、中断させることもなく、第２の開口部１９２を、封鎖物３００で封鎖しうる。同様に、いくつかの実施形態において、第１の筐体１７１と第２の筐体１７２の少なくとも一方で行われているガラス製造工程１００と干渉することも、中断させることもなく、熱電対３５０を、挿入経路１８０に沿って選択的に挿入しうる。したがって、本開示の実施形態は、第１の筐体１７１および第２の筐体１７２を解体することも、第１の筐体１７１と第２の筐体１７２の少なくとも一方で行われているガラス製造工程１００と干渉することも、中断させることもなく、ガラス製造装置１０１およびガラス製造工程１００が完全に動作可能でありながら、第２の開口部１９２を、封鎖物３００で、選択的に封鎖することを含む利点を提供するという特徴を含む。
【００６３】
いくつかの実施形態において、第２の開口部１９２を封鎖する工程は、封鎖物３００を第１の筐体１７１の第３の開口部１９３内で移動する工程を含みうる。例えば、いくつかの実施形態において、オペレータが、軸部３０１の第１の端部３１１を移動して、突出部３０２を含む軸部３０１の第２の端部３１２を、同様に移動しうる。いくつかの実施形態において、封鎖物３００を移動する工程は、封鎖物３００を、第３の開口部１９３内で回転する工程を含みうる。したがって、いくつかの実施形態において、第２の開口部１９２を封鎖する工程は、封鎖物３００を回転する工程を含みうる。例えば、図３の矢印３４１が示すように、封鎖物３００を、不封鎖位置３４０から封鎖位置３４５（図４）に移動して、第２の開口部１９２を封鎖しうる。同様に、図４の矢印３４６が示すように、封鎖物３００を、封鎖位置３４５から不封鎖位置３４０（図３）に移動して、第２の開口部１９２の封鎖を解きうる。
【００６４】
例えば、いくつかの実施形態において、オペレータが、封鎖物３００の軸部３０１の第１の端部３１１を回転して、突出部３０２を含む軸部３０１の第２の端部３１２を、同様に回転させうる。したがって、軸部３０１の第１の端部３１１を移動することで、それに対応して突出部３０２を含む軸部３０１の第２の端部３１２を移動させ、突出部３０２が、第２の開口部１９２を封鎖するように（または、封鎖しないように）選択的に配置するようにしうる。したがって、有利なことに、外部領域２０２から直接アクセスできない場合に、封鎖物３００を選択的に移動して、第２の開口部１９２を封鎖する（または、封鎖しない）ようにしうる。例えば、いくつかの実施形態において、第１の筐体１９１および第２の筐体１９２が存在することで、外部領域２０２から内部領域２００への直接アクセスが妨げられうる。更に、いくつかの実施形態において、封鎖物３００を、第２の開口部１９２を封鎖するように選択的に配置させ、したがって、内容物が、内部領域２００から中間空間２０１へ、および、中間空間２０１から内部領域２００へ通過するのを妨げうる。同様に、いくつかの実施形態において、例えば、熱電対３５０を、挿入経路１８０に沿って、第１の筐体１７１の第１の開口部１９１を通って、および、第２の筐体１７２の第２の開口部１９２を通って、内部領域２００に挿入するのを可能にするために、外部領域２０２から内部領域２００にアクセスするのが望ましい場合に、封鎖物３００を、第２の開口部１９２を封鎖しないように選択的に配置させうる。
【００６５】
いくつかの実施形態において、ガラス製造装置１０１は、第１の筐体１７１の外側に配置された覆い部３２０を含みうる。覆い部３２０を、第３の開口部１９３を封鎖するように向けうる。第１の開口部１９１および第２の開口部１９２を封鎖するのと同様に、第３の開口部１９３を封鎖することで、同様に、内容物が、例えば、外部領域２０２から中間空間２０１へ、および、中間空間２０１から外部領域２０２へ、第３の開口部１９３を通って通過するのを防ぎうる。いくつかの実施形態において、ガラス製造装置１０１は、覆い部３２０を、第１の筐体１７１の方へ付勢するように向いたばね３２５を含みうる。いくつかの実施形態において、覆い部３２０は、第１の筐体１７１の第１の外面１７５に、第３の開口部１９３を取り囲む経路に沿って当接して、第３の開口部１９３を封鎖しうる。したがって、いくつかの実施形態において、ばね３２５は、覆い部３２０に付勢力を加えて、覆い部３２０と第１の筐体１７１の第１の外面１７５の間で、第３の開口部１９３を取り囲む経路に沿って当接した関係を維持して、第３の開口部１９３を封鎖しうる。
【００６６】
いくつかの実施形態において、ばね３２５を、覆い部３２０とブラケット３２６の間に配置して、ブラケット３２６を、表面３３０に当接するように配置しうる。いくつかの実施形態において、表面３３０は、ブラケット３２６が当接して、覆い部３２０を第１の筐体１７１の第１の外面１７５の方向に付勢する、ばね３２５の付勢力（例えば、ばね力）を提供する壁、天井、格子、枠、支持構造物、および、任意の他の構造物を含みうる。いくつかの実施形態において、この方法は、覆い部３２０を第１の筐体１７１に対して付勢して、第３の開口部１９３を、覆い部３２０で封止する工程を含みうる。いくつかの実施形態において、１枚の紙３１３（例えば、耐火紙）を、覆い部３２０と第１の外面１７５の間に配置して、第３の開口部１９３の周りで封止部を提供し、覆い部３２０と第１の筐体１７１の第１の外面１７５の接触面の間の摩擦係数を低下させうる。例えば、覆い部３２０を、第１の外面１７５に接触させながら、第１の外面１７５に対して移動しうる、いくつかの実施形態において、１枚の紙３１３は、覆い部３２０と第１の筐体１７１の第１の外面１７５の間で、より低い抵抗を提供しうる。
【００６７】
いくつかの実施形態において、この方法は、第３の開口部１９３を、第１の筐体１７１の外側に配置された覆い部３２０で封鎖する工程を含みうる。いくつかの実施形態において、覆い部３２０を第３の開口部１９３を封鎖する位置から取り除いて、封鎖物３００を第２の開口部１９２を封鎖する（または、封鎖しない）ように移動しうるように、封鎖物３００の軸部３０１へのアクセスを提供しうる。封鎖物３００を移動して、第２の開口部１９２を封鎖した（または、封鎖を解いた）後に、次に、覆い部３２０を、第３の開口部１９３を封鎖するように戻しうる。その反対に、いくつかの実施形態において、覆い部３２０を、そのままにして、第３の開口部１９３を封鎖しうる。例えば、いくつかの実施形態において、覆い部３２０を移動することによって、封鎖物３００を、第３の開口部１９３内で移動しうる。いくつかの実施形態において、第１の筐体１７１の外側に配置された覆い部３２０を回転することによって、封鎖物３００を回転しうる。例えば、いくつかの実施形態において、封鎖物３００は、少なくとも部分的には覆い部３２０の対応する回転に基づいて、軸部３０１の縦軸３８０を中心に回転自在でありうる。いくつかの実施形態において、軸部３０１の縦軸３８０は、挿入経路１８０に平行でありうる。いくつかの実施形態において、軸部３０１の縦軸３８０は、挿入経路１８０に対して、ある角度を成して延伸しうる。
【００６８】
いくつかの実施形態において、覆い部３２０は、封鎖物３００の軸部３０１に係合しうる。例えば、いくつかの実施形態において、覆い部３２０は、封鎖物３００の軸部３０１の第１の端部３１１と係合しうる窪み部３１５を含みうる。いくつかの実施形態において、窪み部３１５は、封鎖物３００の軸部３０１の第１の端部３１１が配置されうる適合スロットを含みうる。いくつかの実施形態において、覆い部３２０を移動して、封鎖物３００の対応する移動を生じうる。したがって、いくつかの実施形態において、覆い部３２０を、第３の開口部１９３を封鎖する位置から取り除くことなく、封鎖物３００を第２の開口部１９２を封鎖するように配置しうる。したがって、覆い部３２０を、第３の開口部１９３を封鎖する位置から取り除くことなく、封鎖物３００を、不封鎖位置３４０と封鎖位置３４５の間で、任意の回数、選択的に移動しる。不図示である、いくつかの実施形態において、ばね、または、他の付勢装置を、窪み部３１５に備えて、封鎖物３００を、覆い部３２０から離れるように付勢し、それにより、突出部３０２を、第２の筐体１７２の第２の外面１７６に対し付勢して、封鎖位置３４５での第２の開口部の封止された閉鎖状態を高めうる。
【００６９】
更に、いくつかの実施形態において、封鎖物３００の位置を示す指示部を設けて、オペレータが、指示部を見て、封鎖物３００が、不封鎖位置３４０と封鎖位置３４５のどちらに配置されているかを特定しうる。例えば、いくつかの実施形態において、指示部を覆い部３２０上に設けて、指示部が、覆い部３２０の位置（例えば、回転位置）に対応するようにしうるもので、覆い部３２０の位置は、同様に、封鎖物３００の位置に対応するものである。いくつかの実施形態において、制限構造物（例えば、機械的止め部）を備えて、不封鎖位置３４０と封鎖位置３４５の間での覆い部３２０の移動（例えば、回転）を制限しうる。例えば、覆い部３２０が、制限構造物に向かう一方向に完全に進行した位置は、不封鎖位置３４０に対応し、覆い部３２０が、制限構造物から離れる他の方向に完全に進行した位置は、封鎖位置３４５に対応しうる。いくつかの実施形態において、指示部は、オペレータに封鎖物３００の位置を伝達する図で表したマーク、ノッチ、電子画像、および、任意の他の指示物の任意の１つ以上を含みうる。
【００７０】
様々な開示した実施形態が、特定の実施形態との関係で記載した特定の特徴物、要素、または、工程を含みうることが分かるだろう。特定の特徴物、要素、または、工程を、一つの特定の実施形態との関係で記載したが、示していない組合せ、または順列で、他の実施形態と交換または組合せうることも分かるだろう。
【００７１】
本明細書で使用したように、英語の原文の定冠詞または不定冠詞は、「少なくとも１つ」を意味し、そうでないことが明示されない限りは、「１つだけ」に限定されるべきではないと、理解すべきである。したがって、例えば、「要素」は、そうでないことが文脈から明らかでない限りは、そのような要素を２つ以上有する例を含む。
【００７２】
本明細書において、範囲を「約」１つの特定の値から、および／または、「約」他の特定の値までと表しうる。そのような範囲を表した場合には、実施形態は、その１つの特定の値から、および／または、他の特定の値までを含む。同様に、「約」を付けて、値を近似値で表した場合、その特定の値が、他の態様を形成すると理解されるだろう。更に、各範囲の端点は、他方の端点との関係でと、他方の端点とは独立にの両方で重要であると理解されるだろう。
【００７３】
そうでないと明示しない限りは、本明細書に示した、いずれの方法も、その工程が特定の順序で行うことを必要とすると解釈されることを全く意図していない。したがって、方法の請求項が、工程を行う順序を、実際に記載していないか、請求項または明細書で、工程が特定の順序に限定されると具体的に記載していない場合には、いかなる特定の順序も推測されることを全く意図していない。
【００７４】
特定の実施形態の様々な特徴物、要素、または、工程を、「含む」という移行句を用いて記載しうるが、「からなる」または「から実質的になる」という移行句を用いて記載しうる実施形態を含む他の実施形態を包含していると理解すべきである。したがって、例えば、Ａ＋Ｂ＋Ｃを含む装置の実施形態の代わりの実施形態は、Ａ＋Ｂ＋Ｃからなる装置の実施形態、および、Ａ＋Ｂ＋Ｃから実質的になる装置の実施形態を含む。
【００７５】
当業者であれば、本開示の精神および範囲を逸脱することなく、様々な変更および変形が可能なことが明らかだろう。したがって、本開示は、本開示の変更例および変形例も、添付の請求項、および、それらの等価物である限りは、それらを含むことを意図している。
【００７６】
以下、本発明の好ましい実施形態を項分け記載する。
【００７７】
実施形態１  
ガラス製造装置において、
第１の筐体と、
前記第１の筐体内に配置された第２の筐体と、
前記第２の筐体内に配置されて、溶融材料を収容する槽と、
前記第１の筐体を通って延伸する第１の開口部と、
前記第２の筐体を通って延伸する第２の開口部と、
前記第１の開口部から離間して、前記第１の筐体を通って延伸する第３の開口部と、
前記第３の開口部内に位置する軸部、および、前記軸部から延伸して、前記第２の開口部を選択的に封鎖するように向いた突出部を含む封鎖物と、
を含み、
前記第１の開口部および前記第２の開口部が、前記第１の筐体の外側から前記第２の筐体の内側への挿入経路を画定するものであるガラス製造装置。
【００７８】
実施形態２  
前記槽は、溝部、および、一対の下方に傾いて該槽の根元部で収束する表面を有する成形くさび形部を含むものである、実施形態１に記載のガラス製造装置。
【００７９】
実施形態３  
前記封鎖物は、前記軸部の縦軸を中心に回転自在である、実施形態１に記載のガラス製造装置。
【００８０】
実施形態４  
前記封鎖物の前記突出部は、前記第１の筐体と前記第２の筐体の間に位置するものである、実施形態１に記載のガラス製造装置。
【００８１】
実施形態５  
前記封鎖物の前記突出部は、前記第２の開口部を取り囲む経路に沿って、前記第２の筐体の外面に選択的に当接するように向いたものである、実施形態１に記載のガラス製造装置。
【００８２】
実施形態６  
前記第２の開口部は、前記第１の筐体の内面から、ある距離で離間したものである、実施形態１に記載のガラス製造装置。
【００８３】
実施形態７  
前記挿入経路は、前記第１の開口部から前記第２の開口部へ延伸する直線状の軸を含むものである、実施形態１に記載のガラス製造装置。
【００８４】
実施形態８  
前記第１の筐体の外側に配置された覆い部を、
更に含み、
前記覆い部は、前記第３の開口部を封鎖するように向いたものである、実施形態１に記載のガラス製造装置。
【００８５】
実施形態９  
前記覆い部を前記第１の筐体に向かう方向に付勢するように向いた、ばねを、
更に含む、実施形態８に記載のガラス製造装置。
【００８６】
実施形態１０  
前記覆い部は、前記封鎖物の前記軸部に係合するものである、実施形態８に記載のガラス製造装置。
【００８７】
実施形態１１  
前記封鎖物は、少なくとも部分的には前記覆い部の対応する回転に基づいて、前記軸部の縦軸を中心に回転自在である、実施形態１０に記載のガラス製造装置。
【００８８】
実施形態１２  
ガラス製造装置の開口部の封鎖方法において、
装置を、第１の筐体の外側から、前記第１の筐体内に配置された第２の筐体の内側への挿入経路に沿って、該第１の筐体の第１の開口部および前記第２の筐体の第２の開口部を通って挿入する工程と、
前記第２の筐体内に配置されて、溶融材料を収容する槽の属性を、前記装置を用いて測定する工程と、
前記装置を、前記第２の開口部から取り除く工程と、
前記第２の開口部を、封鎖物で封鎖する工程と、
を含む方法。
【００８９】
実施形態１３  
前記装置は、熱電対である、実施形態１２に記載の方法。
【００９０】
実施形態１４  
前記属性は、温度である、実施形態１３に記載の方法。
【００９１】
実施形態１５  
前記属性を測定する工程は、溶融材料を、前記槽に収容せずに行うものである、実施形態１２に記載の方法。
【００９２】
実施形態１６  
前記槽の前記属性を測定した後に、溶融材料を前記槽に収容する工程を、
更に含む、実施形態１５に記載の方法。
【００９３】
実施形態１７  
前記第２の開口部を封鎖する工程は、溶融材料を、前記槽に収容せずに行うものである、実施形態１２に記載の方法。
【００９４】
実施形態１８  
前記装置を、前記第１の開口部および前記第２の開口部から取り除き、次に、該第１の開口部を封鎖する工程を、
更に含む、実施形態１２に記載の方法。
【００９５】
実施形態１９  
前記第２の開口部を封鎖する工程は、前記封鎖物を回転する工程を含むものである、実施形態１２に記載の方法。
【００９６】
実施形態２０  
前記封鎖物は、前記第１の筐体の外側に配置された覆い部を回転することによって、回転されるものである、実施形態１９に記載の方法。
【００９７】
実施形態２１  
前記第２の開口部を封鎖する工程は、前記封鎖物を、前記第１の筐体の第３の開口部内で移動する工程を含むものである、実施形態１２に記載の方法。
【００９８】
実施形態２２  
前記封鎖物を移動する工程は、該封鎖物を、前記第３の開口部内で回転する工程を含むものである、実施形態２１に記載の方法。
【００９９】
実施形態２３  
前記第３の開口部を、前記第１の筐体の外側に配置された覆い部で封鎖する工程を、
更に含むものである、実施形態２１に記載の方法。
【０１００】
実施形態２４  
前記封鎖物は、前記覆い部を移動することによって、前記第３の開口部内で移動されるものである、実施形態２３に記載の方法。
【０１０１】
実施形態２５  
前記覆い部を、前記第１の筐体に対して付勢して、前記第３の開口部を、該覆い部で封止する工程を、
更に含む、実施形態２３に記載の方法。
【符号の説明】
【０１０２】
１０１  ガラス製造装置
１０５  溶融槽
１０９  貯蔵器
１２７  清澄槽
１３１  混合室
１３３  送出槽
１４０  ガラス成形器
１４３  形成槽
１７１  第１の筐体
１７２  第２の筐体
１９１  第１の開口部
１９２  第２の開口部
１９３  第３の開口部
１８０  挿入経路
２０４  溝部
２０５  成形くさび形部
３００  封鎖物
３０１  軸部
３０２  突出部
３２０  覆い部
【図１】
2019516658.tif 000003
【図２】
2019516658.tif 000004
【図３】
2019516658.tif 000005
【図４】
2019516658.tif 000006
【国際調査報告】
2019516658.tif 000007
2019516658.tif 000008